(57)【特許請求の範囲】
【請求項１】
床面上に設置される脚体、前記脚体に支持され、上面に作業面を有する第一天板、及び執務者側と前記執務者が対応する対応者側とを区画し、平板状に形成された幕板を有する下部ユニットと、
前記下部ユニットに着脱可能に装着された上部ユニットと、
ブラケットと、を備え、
前記上部ユニットは、
前記第一天板上に載置される被載置部と、
前記被載置部に支持され、上面に作業面を有する第二天板と、
前記第一天板の前記対応者側の端部に沿って配置されるとともに、前記第一天板よりも下方に延び、少なくとも前記幕板の上部まで延びる下部体と、を有し、
前記第一天板と前記幕板との間には取付空間が形成され、
前記ブラケットは、前記取付空間に配置されるとともに、一端部が前記第一天板の下面に固定され、他端部が前記上部ユニットを支持することを特徴とする天板付き什器。
【請求項２】
前記下部体は、前記床面から離間して配置されていることを特徴とする請求項１に記載の天板付き什器。
【請求項３】
前記下部体は、前記幕板に当接していることを特徴とする請求項１または２に記載の天板付き什器。
【発明の詳細な説明】
【技術分野】
【０００１】
本発明は、天板を備えたカウンター装置、デスク装置、テーブル装置等の天板付き什器に関する。
【背景技術】
【０００２】
一般的に、オフィス、公共施設、銀行等においては、執務者が来客に対応するための窓口として、カウンター等の受付が設置されている。カウンターとして、床面に設置される側板、サイドパネル等の支持体と、支持体に支持された平板状の天板と、来客のいる来客側空間と執務者が作業する執務側空間とを区画し、支持体に支持された幕板と、を備えたものが知られている。このようなカウンターでは、天板を利用して受付業務を円滑に行うことができるとともに、幕板により来客側空間から執務者の下肢が見えないため体裁を良好とすることができる（下記特許文献１，２参照）。
【０００３】
執務者がカウンターを挟んで来客対応する際には、椅子に着座した来客や車椅子の来客に対応する態様と、立った状態の来客に対応する態様とがある。前者の場合には高さの低いローカウンターが適しており、後者の場合には高さの高いハイカウンターが適している。企業側や施設側等の理由により、カウンターの高さを変更する際には、新たなカウンターを購入する必要があり、コストが嵩むという問題点がある。
【０００４】
そこで、下記の特許文献１に記載のカウンター装置では、ローカウンターの天板の上面にハイカウンターユニットを設けて、ハイカウンターユニットの天板を新たな天板としてローカウンターからハイカウンターに変更できるものが提案されている。ハイカウンターユニットは、ローカウンターの天板の上面から立設された支持体と、支持体に支持された天板と、支持体における来客側に設けられた上部幕板と、を備えている。
【先行技術文献】
【特許文献】
【０００５】
【特許文献１】特開２０１０−３５９３５号公報
【特許文献２】特許第４８７７９４６号公報
【発明の概要】
【発明が解決しようとする課題】
【０００６】
しかしながら、上記の特許文献１に記載されたカウンター装置のような天板を備えた什器では、天板の上面にハイカウンターユニットを設ける構成であるため、天板の来客側の端面が露出して体裁が悪くなってしまうという問題点がある。
【０００７】
本発明は、上記事情に鑑みてなされたものであり、体裁を良好としつつ、態様を変更可能な天板付き什器を提供するものである。
【課題を解決するための手段】
【０００８】
上記目的を達成するために、本発明は以下の手段を採用している。
すなわち、本発明に係る天板付き什器は、床面上に設置される脚体、前記脚体に支持され、上面に作業面を有する第一天板、及び執務者側と前記執務者が対応する対応者側とを区画し、平板状に形成された幕板を有する下部ユニットと、前記下部ユニットに着脱可能に装着された上部ユニットと、ブラケットと、を備え、前記上部ユニットは、前記第一天板上に載置される被載置部と、前記被載置部に支持され、上面に作業面を有する第二天板と、前記第一天板の前記対応者側の端部に沿って配置されるとともに、前記第一天板よりも下方に延び、少なくとも前記幕板の上部まで延びる下部体と、を有し、前記第一天板と前記幕板との間には取付空間が形成され、前記ブラケットは、前記取付空間に配置されるとともに、一端部が前記第一天板の下面に固定され、他端部が前記上部ユニットを支持することを特徴とする。
【０００９】
このように構成された天板付き什器では、床面上に設置される脚体と、脚体に支持され、上面に作業面を有する第一天板と、執務者側と対応者側とを区画し、平板状に形成された幕板と、を備えた下部ユニットで構成された什器の態様（第一態様）をとることができる。また、下部ユニットに上部ユニットを装着した什器の態様（第二態様）もとることができる。上部ユニットは、第一天板上に載置される被載置部に支持され、上面に作業面を有する第二天板を有している。第二態様では、第一天板の上方に第二天板が配置され、第一態様よりも天板の高さの高い什器とされている。また、上部ユニットは、下部ユニットに着脱可能に装着されているため、取り外すことができる。よって、要望等に応じて、天板の高さを変えた什器を提供することができる。
また、上部ユニットの下部体は、第一天板の対応者側の端部に沿って配置されるとともに、第一天板よりも下方に延び、少なくとも幕板の上部まで延びている。よって、幕板が天板の対応者側の端部を覆うため、端部の露出を抑えて体裁を良好とすることができる。
また、天板と幕板との間に形成された取付空間に配置されたブラケットは、一端部が第一天板の下面に固定されている。よって、ブラケットが天板の下面に固定されている部分は、執務者側に配置されているため、当該固定されている部分が対応者側に露出することが抑制される。
【００１０】
また、本発明に係る天板付き什器では、前記下部体は、前記床面から離間して配置されていることが好ましい。
【００１１】
このように構成された天板付き什器では、下部体は床面から離間して配置されているため、下部体と床面との間に対応者の下肢を配置することができる。
【００１４】
また、本発明に係る天板付き什器では、前記下部体は、前記幕板に当接していてもよい。
【００１５】
このように構成された天板付き什器では、下部体は幕板に当接しているため、下部体は下部ユニットに安定的に支持される。
【発明の効果】
【００１６】
本発明に係る天板付き什器によれば、体裁を良好としつつ、態様を変更することができる。
【図面の簡単な説明】
【００１７】
【図１】本発明の一実施形態に係る天板付き什器を備えた什器システムを来客側から見た斜視図である。
【図２】本発明の一実施形態に係る天板付き什器を執務者側から見た斜視図である。
【図３】本発明の一実施形態に係る天板付き什器の側面図である。
【図４】本発明の一実施形態に係る天板付き什器の幕板の取付けを示す前側の横断面図（図５のＢ−Ｂ断面図）である。
【図５】本発明の一実施形態に係る天板付き什器において、オプション部材としてのエプロンユニットを取り外した状態を来客側から見た正面図である。
【図６】本発明の一実施形態に係る天板付き什器の縦断面図（図５のＣ−Ｃ断面図）である。
【図７】本発明の一実施形態に係る天板付き什器のエプロンユニットの分解斜視図である。
【図８】本発明の一実施形態に係る天板付き什器のエプロンユニット部分の縦断面図（図１のＡ−Ａ断面図）である。
【発明を実施するための形態】
【００１８】
以下、本発明の天板付き什器を備えた什器システムの実施形態の一例としてカウンターシステムについて、図面を参照して説明する。
図１は、本発明の一実施形態に係る天板付き什器を備えた什器システムを来客側から見た斜視図である。
図１に示すように、カウンターシステム１は、高さの異なる一対のカウンター、つまりローカウンター２及びローカウンター２よりも高さの高いハイカウンター３が隣接配置されている。
【００１９】
このカウンターシステム１は、オフィス等で来客に対応する窓口として設置されるものである。ここで、以下の説明において、カウンターシステム１に来客が向かう側（来客側、対応者側）を前側と称し、執務者が向かう側（執務者側）を後側と称し、これらを結ぶ方向を前後方向と称することがある。また、前後方向と直交する水平方向を幅方向と称することがある。
【００２０】
図２は、ローカウンター２を執務者側から見た斜視図である。図３は、ローカウンター２の側面図である。
図２、図３に示すように、ローカウンター２は、床面Ｆ上に設置される下部ユニット４と、下部ユニット４に着脱可能に装着されるエプロンユニット（上部ユニット）１００と、を備えている。
下部ユニット４は、幅方向に離間して配置された一対の側板（脚体）１０と、側板１０の前端部同士を連結する幕板ユニット（幕板）２０Ａと、側板１０の上端部間に架設された天板（第一天板）６０と、を備えている。
【００２１】
（側板）
側板１０は、床面Ｆ上に設置されている。側板１０は、平板状に形成され、前後方向に沿って配置された側板本体１１を有している。本実施形態では、側板１０は鋼板等の板材を加工して形成されている。
【００２２】
図４は、ローカウンター２の幕板ユニット２０Ａの取付けを示す前側の横断面図（図５のＢ−Ｂ断面図）である。
図４に示すように、側板本体１１の前端部には、ローカウターの幅方向の内側に向かって折曲された前壁部１２が設けられている。また、前壁部１２の端部には、後方に向かって折曲された取付壁部１３が設けられている。取付壁部１３には、後述する幕板ユニット２０Ａを取り付けるための板厚方向に貫通する取付孔１３ｈが形成されている。
【００２３】
（幕板ユニット）
図５は、ローカウンター２において、エプロンユニット１００を取り外した状態を来客側から見た正面図である。図６は、ローカウンター２の縦断面図（図５のＣ−Ｃ断面図）である。
図４から図６に示すように、幕板ユニット２０Ａは、鉛直面に沿って配置されている。幕板ユニット２０Ａは、側板１０に固定される基板２０と、基板２０に対して着脱可能に設けられる化粧幕板３０Ａと、を有している。
【００２４】
基板２０は、平板状に形成され、幅方向及に沿って配置された基板本体２１を有している。本実施形態では、基板２０は鋼板等の板材を加工して形成されている。なお、基板はフレーム状に形成されていてもよい。また、基板が平板状に形成されている場合には、後述する化粧幕板３０Ａと略同一の大きさで形成されていることが好ましい。基板がフレーム状に形成されている場合には、化粧幕板３０Ａの外縁に沿って配置されていることが好ましい。
【００２５】
図６に示すように、基板本体２１の上部及び下部には、板厚方向（前後方向）に貫通する取付孔２１ｈがそれぞれ形成されている。この取付孔２１ｈは、後述する化粧幕板３０Ａを取り付けるためのものである。
【００２６】
図４に示すように、基板本体２１の幅方向の両端部には、前方に向かって折曲された取付壁部２２が設けられている。取付壁部２２には、板厚方向に貫通する取付孔２２ｈが形成されている。取付孔２２ｈから挿通された螺子２２ｓが、側板１０の取付孔１３ｈに螺合されている。これにより、基板２０は側板１０に固定されている。
【００２７】
図６に示すように、基板本体２１の上端部には、前方に向かって折曲された上壁部２３が設けられている。
【００２８】
図５に示すように、基板２０の上端部には、下方に凹む凹部Ｓ１が形成されている。凹部Ｓ１は、ローカウンター２の幅方向に離間して複数形成されている。具体的には、凹部Ｓ１は、上壁部２３から下方に折曲された一対の側壁部２４と、側壁部２４の下端部同士を接続する底壁部２５と、を有している。この凹部Ｓ１には、後述するエプロンユニット１００（図８参照。以下同じ。）を取り付けるためのブラケット１８０（図８参照。以下同じ。）が挿入される。
【００２９】
図６に示すように、基板本体２１の下端部には、前方に向かって折曲された第一下壁部２６が設けられている。第一下壁部２６の端部には、下方に向かって折曲された係合壁部２７が設けられている。係合壁部２７の端部には、前方に向かって折曲された第二下壁部２８が設けられている。
【００３０】
化粧幕板３０Ａは、執務者側と来客側との間を区画している。化粧幕板３０Ａは、幕板体３０と、幕板体３０の下部に設けられた下部板５０と、を有している。幕板体３０は、企業等のコーポレートカラーに彩色したり、良質な木材で構成されていたり、企業ロゴを装飾してもよい。下部板５０は、来客の足先等が当たった際の損傷を防ぐ機能がある。本実施形態では、幕板体３０及び下部板５０は鋼板等の板材を加工して形成され、幕板体３０と下部板５０とは溶接等により接合され一体とされている。
【００３１】
幕板体３０は、平板状に形成され幅方向に沿って配置される幕板本体３１と、幕板本体３１の後面（執務者側の面）に設けられた取付部４０と、を有している。幕板本体３１と取付部４０とは、溶接等により接合され一体とされていてもよい。
【００３２】
幕板本体３１の上端部には、後方に向かって折曲された上壁部３２が設けられている。上壁部３２の端部には、下方に向かって折曲された後壁部３３が設けられている。後壁部３３は、基板２０の底壁部２５に当接している。
【００３３】
取付部４０は、幕板本体３１の後面に沿って配置される支持壁部４１と、支持壁部４１の上端部から後方に向かって折曲された上折曲壁部４２と、支持壁部４１の下端部から後方に向かって折曲された下折曲壁部４３と、下折曲壁部４３の端部から上方に向かって折曲された取付壁部４４と、を有している。
【００３４】
取付壁部４４には、板厚方向（前後方向）に貫通する取付孔４４ｈが形成されている。基板本体２１の取付孔２１ｈに対して後方から挿通された螺子２１ｓが、取付壁部４４の取付孔４４ｈに螺合されている。これにより、化粧幕板３０Ａの上部は基板２０の上部に固定されている。
【００３５】
幕板本体３１の下端部には、後方に向かって折曲された下壁部３４が設けられている。下壁部３４の端部には、上方に向かって折曲された後壁部３５が設けられている。後壁部３５の上端部には、前方に向かって折曲された係合壁部３６が設けられている。
【００３６】
後壁部３５には、板厚方向（前後方向）に貫通する取付孔３５ｈが形成されている。この取付孔３５ｈは、化粧幕板３０Ａ自体を基板２０に取り付けるためのものである。
【００３７】
下部板５０は、平板状に形成され、幕板本体３１と同一平面上に配置される下部板本体５１を有している。
【００３８】
下部板本体５１の下端部には、後方に向かって折曲された支持壁部５２が設けられている。支持壁部５２の端部には、上方に向かって折曲された上向き壁部５３が設けられている。
【００３９】
下部板５０の支持壁部５２の上部に基板２０の第二下壁部２８が載置され、基板２０の第二下壁部２８の先端部は下部板本体５１の後面に当接し、下部板５０の上向き壁部５３の前面に基板２０の係合壁部２７が当接配置されている。これにより、化粧幕板３０Ａは、基板２０に対して前後方向への移動が規制されている。
【００４０】
また、下部板本体５１の上端部には、後方に向かって折曲され、幕板体３０の下壁部３４の下面に沿って配置された上壁部５４が設けられている。上壁部５４の端部には、上方に向かって折曲され、幕板体３０の後壁部３５の後面に沿って配置された上向き壁部５５が設けられている。上向き壁部５５の上端部には、前方に向かって折曲され、幕板体３０の係合壁部３６の上面に沿って配置された前向き壁部５６が設けられている。
【００４１】
下部板５０の上向き壁部５５には、板厚方向（前後方向）に貫通する取付孔５５ｈが形成されている。基板２０の取付孔２１ｈに挿通された螺子２１ｓが、下部板５０の取付孔５５ｈ及び幕板体３０の取付孔３５ｈに螺合されている。これにより、化粧幕板３０Ａの下部及び下部板５０は基板２０の下部に固定されている。
【００４２】
図４に示すように、幕板本体３１の幅方向の両端部には、後方に向かって折曲された側壁部３７が設けられている。側壁部３７の端部には、幅方向の内側に向かって折曲された後壁部３８が設けられている。後壁部３８は、側板１０の前壁部１２に当接している。
【００４３】
図５及び図６に示すように、幕板ユニット２０Ａにおいて、幕板体３０の上壁部３２（上端部）と基板２０の凹部Ｓ１の底壁部２５とは、同一高さとされている。これにより、幕板体３０の上壁部３２と天板６０との間には、隙間Ｓ２が形成されている。基板２０と天板６０との間に形成される凹部Ｓ１及び凹部Ｓ１の前側に連通された隙間Ｓ２が、後述するエプロンユニット１００を天板６０に固定するためのブラケット１８０が挿通される取付空間Ｓとされている。
【００４４】
（天板）
天板６０は、水平面に沿って配置された天板本体６１と、天板本体６１の上面及び端面に沿って設けられた天板化粧部６２と、を有している。天板本体６１の上面に設けられた天板化粧部６２は、その上面が作業面とされている。本実施形態では、天板本体６１は鋼板等の板材を加工して形成され、天板化粧部６２はメラミン化粧板により形成されている。天板本体６１は、側板１０及び幕板ユニット２０Ａの基板２０に螺子止め等により固定されている。天板６０の前端部は、基板２０よりも前方に突出して配置されている。
【００４５】
天板本体６１の下面には、上下方向に貫通する取付孔６２ｈ（図８参照。以下同じ。）が設けられている。この取付孔６２ｈは、後述するエプロンユニット１００を取り付けるためのものである。
【００４６】
図２に示すように、一対の側板１０、天板６０及び基板２０で囲まれた空間は、執務者の下肢等が配置される執務者側空間部Ｓ１１とされている。
【００４７】
（エプロンユニット）
図７は、ローカウンター２のエプロンユニット１００の分解斜視図である。図８は、ローカウンター２のエプロンユニット１００部分の縦断面図（図１のＡ−Ａ断面図）である。
図１、図２及び図７に示すように、エプロンユニット１００は、執務者側空間部Ｓ１１とは反対側の空間である来客側空間部Ｓ１２に配置されている。エプロンユニット１００は、床面Ｆ（図１参照）と離間して配置されている。
【００４８】
エプロンユニット１００は、幕板ユニット２０Ａの前面から天板６０の上面を覆うように配置されるエプロン本体１０１と、エプロン本体１０１の幅方向の内側に設けられる一対の内パネル（被載置部）１３０と、エプロン本体１０１の後面に沿って設けられる後パネル（被載置部）１４０と、エプロン本体１０１の上部に設けられるエプロン用天板（第二天板）１５０と、一対の内パネル１３０同士を連結する連結フレーム１６０と、を有している。
【００４９】
図７及び図８に示すように、エプロン本体１０１は、幕板ユニット２０Ａの前方に配置される前パネル部（下部体）１１０と、前パネル部１１０の幅方向の両端部から後方に向かって折曲された側パネル部１２０と、を有している。
【００５０】
前パネル部１１０は、ローカウンター２の幅方向に沿って配置されている。前パネル部１１０の上端部及び下端部には、それぞれ後方に向かって折曲された折曲壁部１１１，１１２が設けられている。
【００５１】
側パネル部１２０の前側（下部体）１２０ｆは、前パネル部１１０と略同じ高さで形成されている。側パネル部１２０の後側（被載置部）１２０ｂでは、上端部は前側１２０ｆの上端部と揃っており、下端部は前側１２０ｆの下端部よりも上方に位置している。
【００５２】
側パネル部１２０の上端部には、幅方向の内側に向かって折曲された折曲壁部１２１が設けられている。側パネル部１２０の前側１２０ｆの下端部及び後側１２０ｂの下端部には、それぞれ幅方向の内側に向かって折曲された折曲壁部１２２，１２３が設けられている。側パネル部１２０の前側１２０ｆの後端部及び後側１２０ｂの後端部には、それぞれ幅方向の内側に向かって折曲された折曲壁部１２４，１２５が設けられている。
【００５３】
折曲壁部１２４は、天板６０の前端面に沿って配置され、天板６０よりも下方に延び、化粧幕板３０Ａの上部にまで延びている。
【００５４】
側パネル部１２０の前側１２０ｆの後端部の折曲壁部１２４の後面には、緩衝材１２９が設けられている。緩衝材１２９は、上下方向に離間して２箇所に設けられている。緩衝材１２９は、化粧幕板３０Ａの幕板本体３１の前面に当接している。緩衝材として、ゴムや合成樹脂等の部材を採用することができる。
【００５５】
内パネル１３０は、ローカウンター２の前後方向に沿って配置されている。内パネル１３０部の上端部及び下端部には、それぞれ幅方向の外側に向かって折曲された折曲壁部１３１，１３２が設けられている。内パネル１３０の後端部は、エプロン本体１０１の側パネル部１２０の折曲壁部１２５に係合されている。
【００５６】
後パネル１４０は、ローカウンター２の幅方向に沿って配置されている。後パネル１４０の上端部、下端部及び幅方向の両端部には、それぞれ前方に向かって折曲された折曲壁部１４１，１４２，１４３が設けられている。
【００５７】
後パネル１４０の下端部の折曲壁部１４２の端部には、上方に向かって折曲された上向き壁部１４４が設けられている。上向き壁部１４４の上端部には、後方に向かって折曲された支持壁部１４５が設けられている。
【００５８】
後パネル１４０の幅方向の両端部の折曲壁部１４３の取付孔１４３ｈから挿通された螺子１４３ｓが、内パネル１３０の取付孔１３０ｈに螺合されている。
【００５９】
エプロン用天板１５０は、水平面に沿って配置され、上面が作業面とされている。エプロン本体１０１の側パネル部１２０の上端部の折曲壁部１２１の取付孔１２１ｈから挿通された螺子１２１ｓは、天板６０に螺合されている。また、エプロン本体１０１の前パネル部１１０の上端部の折曲壁部１１１の取付孔１１１ｈから挿通された螺子１１１ｓが、天板６０に螺合されている。
【００６０】
後パネル１４０の上端部の折曲壁部１４１の取付孔１４１ｈから挿通された螺子１４１ｓが、天板６０に螺合されている。
【００６１】
連結フレーム１６０は、ローカウンター２の幅方向に沿って配置されている。連結フレーム１６０の両端部には、下方に向かって折曲された下向き壁部１６１が設けられている。下向き壁部１６１の端部には、ローカウンター２の幅方向の外側に向かって折曲された取付壁部１６２が設けられている。
【００６２】
連結フレーム１６０の取付壁部１６２の取付孔１６２ｈに挿通された螺子１６２ｓは、内パネル１３０の下端部の折曲壁部１３２の取付孔１３２ｈに螺合されている。
【００６３】
上記のエプロンユニット１００は、ブラケット１８０を介して天板６０に取り付けられている。ブラケット１８０は、鉛直断面でコの状をなし、幅方向に離間して２箇所に設けられている。ブラケット１８０は、幕板ユニット２０Ａと天板６０との間に形成された取付空間Ｓに挿入される挿入片（一端部）１８１と、エプロンユニット１００の後パネル１４０の下端部の支持壁部１４５の上面に当接する上部片（他端部）１８２と、挿入片１８１と上部片１８２とを連結する連結片１８３と、を有している。
【００６４】
ブラケット１８０の挿入片１８１には、上下方向に貫通する取付孔１８１ｈが形成されている。挿入片１８１の取付孔１８１ｈから挿通された螺子１８１ｓが、天板本体６１の取付孔６２ｈに螺合されている。連結片１８３は、天板６０の前端部に当接している。挿入片１８１と上部片１８２とで天板６０とエプロンユニット１００の後パネル１４０の下端部とを挟み込んでいる。
【００６５】
次に、幕板ユニット２０Ａの化粧幕板３０Ａを基板２０に取り付ける方法について説明する。
側板１０及び天板６０に固定された基板２０に対して、化粧幕板３０Ａを幅方向の所定の位置に配置する。次に、基板２０の第二下壁部２８の下方に化粧幕板３０Ａの支持壁部５２を引っかけるように、化粧幕板３０Ａを下方から持ち上げる。そして、化粧幕板３０Ａの支持壁部５２の上部に基板２０の第二下壁部２８を載せて、基板２０の第二下壁部２８の先端部を化粧幕板３０Ａの後面に当接させ、化粧幕板３０Ａの上向き壁部５３の前面に基板２０の係合壁部２７を当接される。これにより、化粧幕板３０Ａは、基板２０に対して前後方向への移動が規制されている。
【００６６】
次に、基板２０の上部及び下部において、後側から螺子２１ｓで化粧幕板３０Ａを固定する。これにより、化粧幕板３０Ａがローカウンター２に装着される。
【００６７】
一方、化粧幕板３０Ａをローカウンター２から取り外す際には、基板２０と固定している螺子２１ｓを基板２０の後側から緩めて、化粧幕板３０Ａを基板２０に対して下方に移動させれば、取り外される。
【００６８】
次に、エプロンユニット１００を取り付ける方法について説明する。
予め、エプロンユニット１００を組み立てておく。エプロンユニット１００の後パネル１４０の下端部の折曲壁部１４２に、ブラケット１８０の上部片１８２を載せておく。この状態で、下部ユニット４のみで構成された第一態様のカウンターに対して、エプロン本体１０１の後側を天板６０に載置して、ブラケット１８０の挿入片１８１を幕板ユニット２０Ａと天板６０との間に形成された取付空間Ｓに挿入するとともに、エプロン本体１０１に設けられた緩衝材１２９が化粧幕板３０Ａに当接する位置までエプロンユニット１００を後方に押す。そして、螺子１８１ｓでブラケット１８０を天板６０に固定する。これにより、下部ユニット４と、エプロンユニット１００とを備えた第二態様のカウンターが完成する。一方、螺子１８１ｓを外せば、エプロンユニット１００が取り外され、第一態様のカウンターとなる。
【００６９】
このように構成されたカウンターシステム１では、床面Ｆ上に設置される側板１０と、側板１０に支持され、上面に作業面を有する天板６０と、執務者側と来客側とを区画し、平板状に形成された幕板ユニット２０Ａと、を備えた下部ユニット４で構成されたカウンターの態様（第一態様）をとることができる。また、下部ユニット４にエプロンユニット１００が装着されたカウンターの態様（第二態様）もとることができる。エプロンユニット１００は、天板６０上に載置される側パネル部１２０の後側１２０ｂ、内パネル１３０及び後パネル１４０に支持され、上面に作業面を有するエプロン用天板１５０を有している。第二態様では、天板６０の上方にエプロン用天板１５０が配置され、第一態様よりも天板の高さの高いカウンターとされている。また、エプロンユニット１００は、下部ユニット４に着脱可能に装着されているため、取り外すことができる。よって、要望等に応じて、天板の高さを変えたカウンターを提供することができる。
また、エプロンユニット１００の前パネル部１１０及び側パネル部１２０の前側１２０ｆは、天板６０の前端面に沿って配置されるとともに、天板６０よりも下方に延び、少なくとも幕板ユニット２０Ａの上部まで延びている。よって、エプロンユニット１００が天板６０の前端面を覆うため、前端面の露出を抑えて体裁を良好とすることができる。
【００７０】
また、エプロンユニット１００は床面Ｆから離間して配置されているため、エプロンユニット１００と床面Ｆとの間に来客の下肢を配置することができ、利便性が高い。
【００７１】
また、天板６０と幕板ユニット２０Ａとの間に形成された取付空間Ｓに配置されたブラケット１８０は、挿入片１８１が天板６０の下面に固定されている。よって、ブラケット１８０が天板６０の下面に固定されている部分は、執務者側に配置されているため、幕板ユニット２０Ａにより当該固定されている部分が来客側から見えることがない。
【００７２】
また、エプロンユニット１００の側パネル部１２０の前側１２０ｆに設けられた緩衝材１２９は、化粧幕板３０Ａの前面に当接しているため、エプロンユニット１００は下部ユニット４に安定的に支持される。また、エプロンユニット１００の下部ユニット４に当接する部分には緩衝材１２９が設けられており、側パネル部１２０が化粧幕板３０Ａに直接当接することがないため、化粧幕板３０Ａの損傷等を防止することができる。
【００７３】
なお、上述した実施の形態において示した各構成部材の諸形状や組み合わせ等は一例であって、本発明の主旨から逸脱しない範囲において設計要求等に基づき種々変更可能である。
【００７４】
例えば、上記に示す実施形態では、天板付き什器として、ローカウンター２及びハイカウンター３が隣接したカウンターシステム１を例示したが、これに限らず、カウンター単体にも適用可能である。また、カウンター以外の例えばデスク、テーブル等であってもよい。
【００７５】
また、上記に示す実施形態では、エプロンユニット１００は、ブラケット１８０を介して天板６０に固定される構成であるが、本発明はこれに限られない。上部ユニットが、下部ユニット４に着脱可能に装着されていればよく、脚体や幕板に直接固定される構成であってもよい。あるいは、ブラケット１８０を介して、脚体や幕板に固定される構成であってもよい。
【００７６】
また、上記に示す実施形態では、エプロンユニット１００は床面Ｆと離間して配置されているが、上部ユニットが床面Ｆまで達していてもよい。
【００７７】
また、上記に示す実施形態では、側板（脚体）１０は２脚設けられているが、本発明はこれに限られず、１脚でも、３脚以上でもよい。
【符号の説明】
【００７８】
１…カウンターシステム
２…ローカウンター（天板付き什器）
３…ハイカウンター
４…下部ユニット
１０…側板（脚体）
１１…側板本体
２０Ａ…幕板ユニット（幕板）
２０…基板
２１…基板本体
２１ｓ…螺子
３０Ａ…化粧幕板
３０…幕板体
３１…幕板本体
４０…取付部
５０…下部板
５１…下部板本体
６０…天板（第一天板）
６１…天板本体
６２…天板化粧部
１００…エプロンユニット（上部ユニット）
１０１…エプロン本体
１１０…前パネル部（下部体）
１２０…側パネル部
１２０ｂ…側パネル部の後側（被載置部）
１２０ｆ…側パネル部の前側（下部体）
１２９…緩衝材
１３０…内パネル（被載置部）
１４０…後パネル（被載置部）
１５０…エプロン用天板（第二天板）
１６０…連結フレーム
１８０…ブラケット
１８１…挿入片（一端部）
１８２…上部片（他端部）
１８３…連結片
Ｓ…取付空間
Ｓ１…凹部
Ｓ２…隙間
Ｓ１１…執務者側空間部
Ｓ１２…来客側空間部
【図１】
0006638156.tif 000002
【図２】
0006638156.tif 000003
【図３】
0006638156.tif 000004
【図４】
0006638156.tif 000005
【図５】
0006638156.tif 000006
【図６】
0006638156.tif 000007
【図７】
0006638156.tif 000008
【図８】
0006638156.tif 000009